(57)【要約】【課題】スライド部材とカム部との当接部分を被覆するカバー部を配設し、回動部材がケース部材に近接する方向に回転した際にカバー部をケース部材に収容する構成としても、カバー部をケース部材の内周面から離間させることができるため、原稿読み取り部を具備する事務機器に搭載した場合に原稿を汚すことを防止できるヒンジを提供する。【解決手段】ヒンジ１００において、スライド部材４０の上面におけるカム部３１よりも前側には、固定プレート３０が閉塞状態に位置する際にはヒンジケース１０に収容されるとともに、固定プレート３０が開放状態に位置する際にはヒンジケース１０から延出してカム部３１とスライド部材４０との当接部分を被覆する、板状の遮蔽部４２が立設され、スライド部材４０の前側面４０ｂには、前側面４０ｂに対向するケース部材の前側内周面１０ｂに摺接するリブ４３・４３・・・が形成される。【選択図】図２
2018021586.tif 000002
【特許請求の範囲】
【請求項１】
一端側に底部、他端側に開口部が形成された筒状のケース部材と、該ケース部材の内部で摺動可能に収容されるスライド部材と、前記ケース部材の開口部で回動軸により回動可能に軸支される回動部材と、前記ケース部材の前記底部と前記スライド部材との間に介挿されるバネ部材と、を備え、
前記回動部材は、前記ケース部材に対して相対的に回動することにより、前記ケース部材に最も近接する閉塞状態と、前記ケース部材から最も離間する開放状態と、を遷移可能に構成され、
前記回動部材における前記スライド部材の側には、前記スライド部材に当接するとともに、前記回動部材の回動によって前記スライド部材に近接離間するカム部が形成され、
前記バネ部材の付勢力により、前記回動部材が前記ケース部材から離間する回動方向に力を付与されるヒンジであって、
前記スライド部材の前記回動部材の側の面における前記カム部よりも前記回動軸の半径方向外側には、前記回動部材が前記閉塞状態に位置する際には前記ケース部材に収容されるとともに、前記回動部材が前記開放状態に位置する際には前記ケース部材から延出して前記カム部と前記スライド部材との当接部分を被覆する、板状の遮蔽部が立設され、
前記スライド部材における前記回動軸から遠い側の側面には、前記回動部材が前記開放状態に位置する際に前記ケース部材の内部に位置する部分に、前記側面に対向する前記ケース部材の内周面に摺接するリブが形成される、ヒンジ。
【請求項２】
一端側に底部、他端側に開口部が形成された筒状のケース部材と、該ケース部材の内部で摺動可能に収容されるスライド部材と、前記ケース部材の開口部で回動軸により回動可能に軸支される回動部材と、前記ケース部材の前記底部と前記スライド部材との間に介挿されるバネ部材と、を備え、
前記回動部材は、前記ケース部材に対して相対的に回動することにより、前記ケース部材に最も近接する閉塞状態と、前記ケース部材から最も離間する開放状態と、を遷移可能に構成され、
前記回動部材における前記スライド部材の側には、前記スライド部材に当接するとともに、前記回動部材の回動によって前記スライド部材に近接離間するカム部が形成され、
前記バネ部材の付勢力により、前記回動部材が前記ケース部材から離間する回動方向に力を付与されるヒンジであって、
前記スライド部材の前記回動部材の側の面における前記カム部よりも前記回動軸の半径方向外側には、前記回動部材が前記閉塞状態に位置する際には前記ケース部材に収容されるとともに、前記回動部材が前記開放状態に位置する際には前記ケース部材から延出して前記カム部と前記スライド部材との当接部分を被覆する、板状の遮蔽部が立設され、
前記スライド部材における前記回動軸から遠い側の側面に対向する前記ケース部材の内周面には、前記回動部材が前記閉塞状態に位置する際に前記遮蔽部が収容される部分よりも前記底部側の部分に、前記側面に摺接するリブが形成される、ヒンジ。
【発明の詳細な説明】
【技術分野】
【０００１】
本発明は、例えば事務機器等の本体部に、原稿圧着板等の回動部を開閉可能に連結するヒンジに関する。
【背景技術】
【０００２】
従来、複写機、ファクシミリ、スキャナー等、オフィスで使用される事務機器の多くは、その本体部の上面に原稿読み取り部（コンタクトガラス）を具備するとともに、当該原稿読み取り部を覆う原稿圧着板を回動部として具備する。原稿圧着板は、原稿読み取り部に載置された原稿を原稿読み取り部に密着させるとともに原稿読み取り部に対する原稿の位置を保持するものである。このような事務機器の本体部と原稿圧着板とを連結する器具として、ヒンジが用いられる。
【０００３】
上記ヒンジは、ケース部材に回動軸を介して回動部材を軸支し、ケース部材の内部にバネ部材とスライド部材とを収容している。また、スライド部材をバネ部材で付勢し、回動部材に形成されたカム部を押圧している。そして、ケース部材を事務機器の本体部又は原稿圧着板の一方に固定し、回動部材を他方に固定することにより、使用者が原稿圧着板を持ち上げる際の力を付与している。
【０００４】
上記の如く構成されたヒンジにおいては、スライド部材とカム部との摺動性を確保するため、スライド部材とカム部との当接部分にグリス等の潤滑剤が塗布される。そして、事務機器における本体部の原稿読み取り部に載置した原稿が、ヒンジにおけるスライド部材とカム部との当接部分に接触してグリス等が付着することを防ぐとともに、異物が当接部分に入ることを防ぐために、当接部分を被覆するカバー部がスライド部材等に形成されたヒンジが知られている（例えば、特許文献１及び特許文献２を参照）。
【先行技術文献】
【特許文献】
【０００５】
【特許文献１】特開２０１１−１０７４８５号公報
【特許文献２】特開２０１３−２０１９１号公報
【発明の概要】
【発明が解決しようとする課題】
【０００６】
上記特許文献に記載のヒンジによれば、回動部材がケース部材に対して離間する方向に回転した際（原稿圧着板が事務機器の本体部から持ち上げられた際）に、カバー部が当接部分を被覆する構成とされている。一方、回動部材がケース部材に近接する方向に回転した際は、原稿にグリス等が付着する可能性が低いため、デザイン性等の観点からカバー部はケース部材に収容されることが好ましい。
【０００７】
しかし、カバー部をケース部材に収容した場合、カバー部がケース部材の内周面と接触し、ケース部材の内部に塗布されたグリス等がカバー部に付着して、原稿がカバー部に接触した際に原稿が汚れる可能性がある。このため、従来技術に係るヒンジによれば、常にカバー部を外部に露出させておく必要があった。
【０００８】
本発明は以上の如き状況に鑑みてなされたものであり、本発明が解決しようとする課題は、スライド部材とカム部との当接部分を被覆するカバー部を配設し、回動部材がケース部材に近接する方向に回転した際にカバー部をケース部材に収容する構成としても、カバー部をケース部材の内周面から離間させることができるため、原稿読み取り部を具備する事務機器に搭載した場合に原稿を汚すことを防止できるヒンジを提供することである。
【課題を解決するための手段】
【０００９】
以下では、上記課題を解決するための手段を説明する。
【００１０】
即ち、請求項１においては、一端側に底部、他端側に開口部が形成された筒状のケース部材と、該ケース部材の内部で摺動可能に収容されるスライド部材と、前記ケース部材の開口部で回動軸により回動可能に軸支される回動部材と、前記ケース部材の前記底部と前記スライド部材との間に介挿されるバネ部材と、を備え、前記回動部材は、前記ケース部材に対して相対的に回動することにより、前記ケース部材に最も近接する閉塞状態と、前記ケース部材から最も離間する開放状態と、を遷移可能に構成され、前記回動部材における前記スライド部材の側には、前記スライド部材に当接するとともに、前記回動部材の回動によって前記スライド部材に近接離間するカム部が形成され、前記バネ部材の付勢力により、前記回動部材が前記ケース部材から離間する回動方向に力を付与されるヒンジであって、前記スライド部材の前記回動部材の側の面における前記カム部よりも前記回動軸の半径方向外側には、前記回動部材が前記閉塞状態に位置する際には前記ケース部材に収容されるとともに、前記回動部材が前記開放状態に位置する際には前記ケース部材から延出して前記カム部と前記スライド部材との当接部分を被覆する、板状の遮蔽部が立設され、前記スライド部材における前記回動軸から遠い側の側面には、前記回動部材が前記開放状態に位置する際に前記ケース部材の内部に位置する部分に、前記側面に対向する前記ケース部材の内周面に摺接するリブが形成されるものである。
【００１１】
請求項２においては、一端側に底部、他端側に開口部が形成された筒状のケース部材と、該ケース部材の内部で摺動可能に収容されるスライド部材と、前記ケース部材の開口部で回動軸により回動可能に軸支される回動部材と、前記ケース部材の前記底部と前記スライド部材との間に介挿されるバネ部材と、を備え、前記回動部材は、前記ケース部材に対して相対的に回動することにより、前記ケース部材に最も近接する閉塞状態と、前記ケース部材から最も離間する開放状態と、を遷移可能に構成され、前記回動部材における前記スライド部材の側には、前記スライド部材に当接するとともに、前記回動部材の回動によって前記スライド部材に近接離間するカム部が形成され、前記バネ部材の付勢力により、前記回動部材が前記ケース部材から離間する回動方向に力を付与されるヒンジであって、前記スライド部材の前記回動部材の側の面における前記カム部よりも前記回動軸の半径方向外側には、前記回動部材が前記閉塞状態に位置する際には前記ケース部材に収容されるとともに、前記回動部材が前記開放状態に位置する際には前記ケース部材から延出して前記カム部と前記スライド部材との当接部分を被覆する、板状の遮蔽部が立設され、前記スライド部材における前記回動軸から遠い側の側面に対向する前記ケース部材の内周面には、前記回動部材が前記閉塞状態に位置する際に前記遮蔽部が収容される部分よりも前記底部側の部分に、前記側面に摺接するリブが形成されるものである。
【発明の効果】
【００１２】
本発明に係るヒンジは、スライド部材とカム部との当接部分を被覆するカバー部を配設し、回動部材がケース部材に近接する方向に回転した際にカバー部をケース部材に収容する構成としても、カバー部をケース部材の内周面から離間させることができるため、原稿読み取り部を具備する事務機器に搭載した場合に原稿を汚すことを防止できるという効果を奏する。
【図面の簡単な説明】
【００１３】
【図１】本発明の一実施形態に係るヒンジを具備する複合機を示す左側面図。
【図２】閉塞状態のヒンジを示す左側面図。
【図３】閉塞状態のヒンジを示す正面図。
【図４】閉塞状態のヒンジを示す断面図（図３におけるＡ−Ａ線断面図）。
【図５】開放状態のヒンジを示す断面図。
【図６】別実施形態に係るヒンジの閉塞状態を示す断面図。
【図７】別実施形態に係るヒンジの開放状態を示す断面図。
【発明を実施するための形態】
【００１４】
以下では図１を用いて本発明の一実施形態に係るヒンジ１００を具備する事務機器である複合機１について説明する。
複合機１は本体２および原稿圧着板３を具備する。本実施形態において、複合機１がヒンジ１００を具備する構成とするが、複合機１とは異なる他の事務機器がヒンジ１００を具備する構成とすることも可能である。
【００１５】
本体２は本発明に係る本体部の実施の一形態である。
本体２は原稿読み取り装置、制御装置、印刷装置、表示装置および入力装置を具備する。
原稿読み取り装置は本体２の上面に配置される。原稿読み取り装置は本体２の上面（原稿読み取り部）に載置された原稿を読み取る（原稿の画像情報を生成する）。
制御装置は複合機１の各部の動作、より詳細には原稿読み取り装置、後述する印刷装置および後述するＡＤＦの動作を制御する。また、制御装置は原稿読み取り装置が生成した画像情報および本体２に接続された回線（インターネット回線等）を通じて取得した画像情報を記憶することが可能である。
印刷装置は原稿読み取り装置の下方に配置される。印刷装置は制御装置が記憶した画像情報に基づいて所定の用紙に画像を印刷する。
表示装置は例えば液晶パネルからなり、複合機１の動作状況等に係る情報を表示する。
入力装置は例えばボタン、スイッチ等からなり、作業者が複合機１に対する指示等を入力する際に操作する。表示装置および入力装置は本体２の上面前部に配置される。
【００１６】
原稿圧着板３は本発明に係る回動部の実施の一形態である。
原稿圧着板３は原稿読み取り装置の上に載置された原稿を原稿読み取り装置に向かって押さえつける（圧着する）ことにより、原稿読み取り装置が原稿を読み取る際に原稿が動く（原稿読み取り装置との相対的な位置が変化する）ことを防止する。
原稿圧着板３は読取前原稿収容トレイ、ＡＤＦ（Ａｕｔｏ  Ｄｏｃｕｍｅｎｔ  Ｆｅｅｄｅｒ）および読取後原稿収容トレイを具備する。
ＡＤＦは読取前原稿収容トレイに積層状態で収容された複数枚の原稿を一枚ずつ順に取り出して原稿読み取り装置の上の所定の読取位置に載置する。原稿読み取り装置による原稿の読み取りが終了した後、ＡＤＦは読取位置に載置された原稿を読取後原稿収容トレイに搬送する。
【００１７】
「事務機器」は、少なくとも原稿を読み取る（原稿の画像情報を取得する）機能を具備する装置を指す。
事務機器の具体例としては、（ａ）原稿を読み取る機能および読み取った原稿に係る画像情報を他の機器（例えば、パーソナルコンピュータ）に送信する機能を具備するスキャナー、（ｂ）原稿を読み取る機能、読み取った原稿に係る画像情報を通信回線を介して他の機器に送信する機能および他の機器から取得した画像情報をプリントアウトする機能を具備するファクス、（ｃ）原稿を読み取る機能および読み取った原稿に係る画像情報をプリントアウトする機能を具備するコピー機、（ｄ）上記スキャナー、ファクス、およびコピー機としての機能を兼ねる複合機、等が挙げられる。
【００１８】
以下の説明では、原稿圧着板３が閉じているとき（原稿圧着板３の下面が本体２の上面に当接しているとき）の原稿圧着板３の回動角度θ（より厳密には、本体２に対する原稿圧着板３の回動角度θ）を「０度」とし、原稿圧着板３が開く方向に回動した場合に回動角度θが増加する（回動角度θが正になる）ように原稿圧着板３の回動角度θを定義する（図１を参照）。また、ヒンジ１００の固定プレート３０とヒンジケース１０とがなす回動角度θも、上記の姿勢に対応して記載する。即ち、原稿圧着板３が閉じているときの固定プレート３０とヒンジケース１０とがなす回動角度θを「０度」として記載する。
【００１９】
以下では、図１から図５を用いて本発明の一実施形態に係るヒンジ１００について説明する。
図１に示す如く、ヒンジ１００は複合機１の本体２に原稿圧着板３を回動可能に連結する。具体的には、本発明に係るケース部材である筒状のヒンジケース１０が複合機１の本体２に固定され、本発明に係る回動部材である固定プレート３０が複合機１の原稿圧着板３に固定されることにより、原稿圧着板３を本体２に対して回動可能に連結する。本実施形態において、ヒンジ１００における各部材には樹脂を射出成型したものが用いられるが、金属等、他の素材を用いることも可能である。例えば、金属板を折り曲げてヒンジ１００の各部材を形成することもできる。
【００２０】
図２から図５に示す如く、ヒンジ１００は、一端側（本実施形態における下側）に底部１０ａ、他端側に開口部が形成されたヒンジケース１０、ヒンジケース１０の開口部で回動軸２５により軸支される固定プレート３０、ヒンジケース１０の内部で摺動可能に収容されるスライド部材４０、ヒンジケース１０の底部１０ａとスライド部材４０との間に介挿されるバネ部材５０等を具備する。
【００２１】
以下では便宜上、原稿圧着板３が本体２に対して閉じているとき（回動角度θ＝０度のとき）の複合機１の上下方向、前後方向および左右方向を基準として（原稿圧着板３が本体２に対して閉じているときの複合機１の上下方向、前後方向および左右方向をそれぞれヒンジ１００の上下方向、前後方向および左右方向に対応させて）ヒンジ１００を構成する各部材の形状を説明する。
【００２２】
ヒンジケース１０は上側に開口部が形成された筒状部材であり、複合機１の本体２に固定される。ヒンジケース１０の下側には底部１０ａが形成されている。ヒンジケース１０の上部における左右両側には、回動軸２５を支持するための支持板１１・１１が上方に向かって立設されている。
【００２３】
固定プレート３０は回動軸２５によってヒンジケース１０の支持板１１・１１に回動可能に支持されるブロック状の部材である。固定プレート３０の後部には固定プレート３０を左右方向に貫通する固定孔３０ａが形成され、下端部には下方に膨出するカム部３１が形成される。カム部３１は、スライド部材４０のカム当接突起４１に当接するとともに、固定プレート３０の回動によってスライド部材４０に近接離間する。固定プレート３０は左右方向に延出された固定部３２が形成され、固定部３２が複合機１の原稿圧着板３に固定される。
【００２４】
固定プレート３０は図２に示す如く、ヒンジケース１０の支持板１１・１１で回動軸２５により軸支されている。具体的には図４及び図５に示す如く、回動軸２５を支持板１１・１１及び固定プレート３０の固定孔３０ａにそれぞれ挿通することにより、固定プレート３０がヒンジケース１０に軸支される。
【００２５】
スライド部材４０は、図２から図４に示す如く、ヒンジケース１０の内部で摺動可能に収容される樹脂製部材である。スライド部材４０は下方が開口された有底筒状部材であり、その上面には固定プレート３０の側である上方に突出するカム当接突起４１及び規制突起４４、下面には収容孔部４０ａが形成されている。
【００２６】
ヒンジケース１０の底部１０ａと、スライド部材４０との間には、バネ部材５０が介挿される。具体的には図２から図５に示す如く、バネ部材５０の下端部が底部１０ａの上面に当接され、上端部がスライド部材４０の収容孔部４０ａに収容されて収容孔部４０ａの底面に当接される。
【００２７】
上記の如く、ヒンジケース１０とスライド部材４０との間にバネ部材５０を介挿することで、バネ部材５０の付勢力により、固定プレート３０がヒンジケース１０から離間する回動方向に力を付与される。具体的には図５に示す如く、バネ部材５０からの力がスライド部材４０のカム当接突起４１を介して固定プレート３０のカム部３１に上向きに伝えられる。これにより、固定プレート３０の前部（固定部３２が形成されている部分）が上方に持ち上がる方向に回動するのである。回動した固定プレート３０は、図５に示す如くカム部３１の後部が規制突起４４に当接することにより回動が規制される。本実施形態に係るヒンジ１００においては、固定プレート３０の回動角度が６０度となった際に固定プレート３０の回動が規制されるように構成されている。
【００２８】
このように、固定プレート３０は、ヒンジケース１０に対して相対的に回動することにより、ヒンジケース１０に最も近接する閉塞状態（図２及び図４に示す如く、回動角度が０度の状態）と、ヒンジケース１０から最も離間する開放状態（図５に示す如く、回動角度が６０度の状態）と、を遷移可能に構成されている。なお、上記全開放状態及び使用開放状態は、カム部３１の形状等を変更することにより、適宜変更することが可能である。
【００２９】
本実施形態に係るヒンジ１００において、スライド部材４０の固定プレート３０の側の面（上面）におけるカム部３１よりも回動軸２５の半径方向外側（前側）には、上下左右方向に広がる平板状の遮蔽部４２が上方に向かって立設されている。遮蔽部４２は、図２から図４に示す如く、固定プレート３０が閉塞状態に位置する際にはヒンジケース１０に収容される。また、遮蔽部４２は、図５に示す如く、固定プレート３０が開放状態に位置する際にはヒンジケース１０から延出してカム部３１とカム当接突起４１との当接部分の前側、即ち本体２の原稿読み取り部の側を被覆する。これにより、固定プレート３０が閉塞状態に位置する際に、本体２の原稿読み取り部に載置した原稿が、カム部３１とカム当接突起４１との当接部分に接触してグリス等が付着することを防いでいる。また、遮蔽部４２は、カム部３１とカム当接突起４１との当接部分に異物が入り込むことを防止している。
【００３０】
また、ヒンジ１００において、スライド部材４０における回動軸２５から遠い側の側面である前側面４０ｂには、前側面４０ｂに対向するヒンジケース１０の前側内周面１０ｂに摺接するリブ４３・４３・・が、固定プレート３０が開放状態に位置する際にヒンジケース１０の内部に位置する部分（図５を参照）に形成されている。このように、リブ４３・４３・・が前側内周面１０ｂに摺接することにより、固定プレート３０が閉塞状態に位置して遮蔽部４２をヒンジケース１０に収容した際に、図４に示す如く遮蔽部４２と前側内周面１０ｂとを離間させることができる。
【００３１】
これにより、ヒンジ１００を複合機１に搭載した場合、前側内周面１０ｂに塗布されたグリス等が遮蔽部４２に付着することがないため、遮蔽部４２がヒンジケース１０から延出した際に、原稿が遮蔽部４２に接触しても原稿が汚れることがない。また、リブ４３・４３・・も、ヒンジケース１０の外部に出ることがないため、原稿がリブ４３・４３・・に接触することもない。つまり、固定プレート３０がヒンジケース１０に近接する方向に回転した際に遮蔽部４２をヒンジケース１０に収容する構成としても、原稿を汚すことを防止できるのである。
【００３２】
次に、図６及び図７を用いて、本発明の別実施形態に係るヒンジ２００について説明する。本実施形態に係るヒンジ２００においては、前記実施形態に係るヒンジ１００と共通する構成が多い。このため、本実施形態の説明においてはヒンジ１００と異なる構成を中心に説明し、共通する構成については同符号を付して詳細な説明を省略する。
【００３３】
図６及び図７に示す如く、ヒンジ２００において、スライド部材１４０はヒンジケース１１０の内部で摺動可能に収容される。そして、ヒンジケース１１０の前側内周面１１０ｂには、固定プレート３０が閉塞状態に位置する際に遮蔽部４２が収容される部分よりも底部１０ａの側（下側）の部分に、対向するスライド部材１４０の前面１４０ｂに摺接するリブ１１０ｃ・１１０ｃ・・が形成されている（図６を参照）。このように、リブ１１０ｃ・１１０ｃ・・が前面１４０ｂに摺接することにより、固定プレート３０が閉塞状態に位置して遮蔽部４２をヒンジケース１１０に収容した際に、図６に示す如く遮蔽部４２と前側内周面１１０ｂとの間に隙間を形成できる。
【００３４】
これにより、前側内周面１１０ｂに塗布されたグリス等が遮蔽部４２に付着することがないため、遮蔽部４２がヒンジケース１１０から延出した際に、原稿が遮蔽部４２に接触しても原稿が汚れることがない。また、遮蔽部４２は、ヒンジケース１０に収容された場合でも、リブ１１０ｃ・１１０ｃ・・と接触することがないため、リブ１１０ｃ・１１０ｃ・・に付着したグリス等が遮蔽部４２に付着することがない。つまり、固定プレート３０がヒンジケース１１０に近接する方向に回転した際に遮蔽部４２をヒンジケース１１０に収容する構成としても、原稿を汚すことを防止できるのである。
【符号の説明】
【００３５】
１０                ヒンジケース（ケース部材）
１０ｂ              前側内周面
２５                回動軸
３０                固定プレート（回動部材）
３１                カム部
４０                スライド部材
４０ｂ              前側面
４２                遮蔽部
４３                リブ
５０                バネ部材
１００                ヒンジ
【図１】
2018021586.tif 000003
【図２】
2018021586.tif 000004
【図３】
2018021586.tif 000005
【図４】
2018021586.tif 000006
【図５】
2018021586.tif 000007
【図６】
2018021586.tif 000008
【図７】
2018021586.tif 000009